【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
ＲＦ信号を複数のサンプル信号に下方変換するが、前記下方変換時に前記サンプル信号の間に一定の位相差を発生させる位相変換部と、
前記発生した位相差を用い、前記サンプル信号からイメージ成分を除去する可変複素ゲイン部と
を備えることを特徴とするデジタル直接変換受信装置。
【請求項２】
互いに異なる時間差を有するクロック信号を発生させるクロック発生部をさらに備え、
前記位相変換部は、前記発生したクロック信号を用いて前記位相差を発生させることを特徴とする請求項１に記載のデジタル直接変換受信装置。
【請求項３】
前記発生した位相差を有するサンプル信号をデジタル変換し、互いに異なる位相を有するサンプルストリームを生成する量子化変換部をさらに備え、
前記可変複素ゲイン部は、前記生成されたサンプルストリームを結合し、前記サンプルストリームから負の周波数帯域を有するイメージ成分を除去することを特徴とする請求項１に記載のデジタル直接変換受信装置。
【請求項４】
前記位相変換部は、前記ＲＦ信号が位置したナイキストゾーンに関係なく、前記下方変換したサンプル信号の間に前記位相差を発生させることを特徴とする請求項１に記載のデジタル直接変換受信装置。
【請求項５】
前記位相変換部は、前記ＲＦ信号を周波数０に近接する中間周波数帯域に下方変換して前記サンプル信号を生成することを特徴とする請求項１に記載のデジタル直接変換受信装置。
【請求項６】
前記位相変換部は、予め設定されたサンプリング周波数を用い、前記ＲＦ信号を前記サンプル信号に下方変換することを特徴とする請求項１に記載のデジタル直接変換受信装置。
【請求項７】
前記サンプリング周波数は、少なくとも前記ＲＦ信号の帯域幅の２倍で設定されることを特徴とする請求項１に記載のデジタル直接変換受信装置。
【請求項８】
アンテナを介して受信される信号のうちから前記ＲＦ信号を選択し、少なくとも前記選択されたＲＦ信号の帯域幅を有するフィルタをさらに備え、
前記フィルタは、チューナブルフィルタまたは固定フィルタを含むことを特徴とする請求項１に記載のデジタル直接変換受信装置。
【請求項９】
前記可変複素ゲイン部は、１−タップＦＩＲ（Ｆｉｎｉｔｅ  Ｉｍｐｕｌｓｅ  Ｒｅｓｐｏｎｓｅ）フィルタを含むことを特徴とする請求項１に記載のデジタル直接変換受信装置。
【請求項１０】
ＲＦ信号を複数のサンプル信号に下方変換するとき、前記サンプル信号に互いに異なる位相情報を挿入する位相変換部と、
前記位相情報を用い、前記サンプル信号からエイリアシング成分を除去するコンプレックスインターポレート部と
を備えることを特徴とするデジタル直接変換受信装置。
【請求項１１】
互いに異なる時間差を有するクロック信号を発生させるクロック発生部をさらに備え、
前記位相変換部は、前記発生したクロック信号を用い、前記ＲＦ信号を前記位相情報を有するサンプル信号に下方変換することを特徴とする請求項１０に記載のデジタル直接変換受信装置。
【請求項１２】
前記位相情報を有するサンプル信号をデジタル変換し、一定の位相差を有するサンプルストリームを生成する量子化変換部をさらに備え、
前記コンプレックスインターポレート部は、前記生成されたサンプルストリームを結合し、前記サンプルストリームから負の周波数帯域を有するイメージ成分を除去することを特徴とする請求項１０に記載のデジタル直接変換受信装置。
【請求項１３】
前記量子化変換部は、少なくとも前記ＲＦ信号の帯域幅の２倍を有するサンプル率で前記デジタル変換を行うことを特徴とする請求項１２に記載のデジタル直接変換受信装置。
【請求項１４】
前記位相変換部は、前記ＲＦ信号を周波数０に近接する中間周波数帯域に下方変換して前記サンプル信号を生成することを特徴とする請求項１０に記載のデジタル直接変換受信装置。
【請求項１５】
前記コンプレックスインターポレート部は、前記エイリアシング成分が除去された基底帯域信号を複素信号として処理することを特徴とする請求項１０に記載のデジタル直接変換受信装置。
【請求項１６】
ＲＦ信号を複数のサンプル信号に下方変換するが、前記下方変換時に前記サンプル信号の間に一定の位相差を発生させるステップと、
前記発生した位相差を用いて前記サンプル信号からイメージ成分を除去するステップと  を含むことを特徴とするデジタル直接変換受信方法。
【請求項１７】
互いに異なる時間差を有するクロック信号を発生させるステップをさらに含み、
前記サンプル信号の間に一定の位相差を発生させるステップは、前記発生したクロック信号を用いて前記位相差を発生させるステップを含むことを特徴とする請求項１６に記載のデジタル直接変換受信方法。
【請求項１８】
前記発生した位相差を有するサンプル信号をデジタル変換し、互いに異なる位相を有するサンプルストリームを生成するステップをさらに含み、
前記サンプル信号からイメージ成分を除去するステップは、前記生成されたサンプルストリームを結合し、前記サンプルストリームから負の周波数帯域を有するイメージ成分を除去するステップを含むことを特徴とする請求項１６に記載のデジタル直接変換受信方法。
【請求項１９】
前記互いに異なる位相を有するサンプルストリームを生成するステップは、少なくとも前記ＲＦ信号の帯域幅の２倍を有するサンプル率で前記デジタル変換を行うステップを含むことを特徴とする請求項１８に記載のデジタル直接変換受信方法。
【請求項２０】
前記サンプル信号の間に一定の位相差を発生させるステップは、前記ＲＦ信号を周波数０に近接する中間周波数帯域に下方変換して前記サンプル信号を生成するステップを含むことを特徴とする請求項１６に記載のデジタル直接変換受信方法。
【請求項２１】
ＲＦ信号を下方変換して位相差を有する第１のサンプル信号を生成する第１の位相変換部と、
前記ＲＦ信号を下方変換して位相差を有する第２のサンプル信号を生成する第２の位相変換部と、
前記第１の位相変換部によって生成された第１のサンプル信号をデジタル変換して第１のサンプルストリームを生成する第１の量子化変換部と、
前記第２の位相変換部によって生成された第２のサンプル信号をデジタル変換して第２のサンプルストリームを生成する第２の量子化変換部と、
前記第１のサンプルストリームと前記第２のサンプルストリームとを結合して、負の周波数帯域を有するイメージ成分を除去するコンプレックスインターポレート部と
を含むことを特徴とするデジタル直接変換受信装置。
【手続補正２】
【補正対象書類名】明細書
【補正対象項目名】００５３
【補正方法】変更
【補正の内容】
【００５３】
量子化変換部１４０は、発生した位相差を有するサンプル信号をデジタル変換し、互いに異なる位相を有するサンプルストリームを生成することができる。すなわち、量子化変換部１４０は、下方変換したサンプル信号で位相差の情報を有するサンプルストリームを生成してコンプレックスインターポレート１５０に伝達することができる。
【手続補正３】
【補正対象書類名】明細書
【補正対象項目名】００９３
【補正方法】変更
【補正の内容】
【００９３】
次に、ステップＳ７２０で、デジタル直接変換受信装置は、発生した位相差を有するサンプル信号をデジタル変換し、互いに異なる位相を有するサンプルストリームを生成することができる。すなわち、デジタル直接変換受信装置は、下方変換したサンプル信号で位相差の情報を有するサンプルストリームを生成することができる。このとき、デジタル直接変換受信装置は、ＲＦ信号の帯域幅の２倍（２Ｂ）のサンプル率で動作することができる。これは、サンプリングによって生成されたスペクトル複製成分が基底帯域−Ｂ＜ｆ＜Ｂでｎ番目の複写成分のみが現れるようにすることで、(ｎ−１／２)ｆS＜ｆ＜(ｎ＋１／２)ｆSの帯域で同じインターポレートを繰り返し用いることができるようにするためである。